(57)【要約】【課題】家の敷地内に侵入した猫などの動物を、長期間に亘って追い払うことができる動物の撃退装置を提供する。【解決手段】家の敷地内に猫Ｎが侵入したことを検出する赤外線センサ１と、敷地内に配置されて猫を排除したいエリアに水を散布し得るスプリンクラー２と、敷地内に設けられた水タンク３と、この水タンク内の水を第１ゴムホース４を介してスプリンクラーに供給する水ポンプ５と、赤外線センサからの検出信号を入力して水ポンプを作動させる制御信号を出力する制御器６と、猫を排除したいエリアに配置され且つ第１ゴムホースに第２ゴムホース１２を介して接続されたゴム風船１４と、第２ゴムホースに設けられるとともに赤外線センサからの検出信号に基づき制御器から出力される制御信号により開閉される電磁開閉弁１５とを具備したもの。【選択図】図１
0003123857.tif 000002
【実用新案登録請求の範囲】
【請求項１】
家の敷地内に動物が侵入したことを検出する赤外線センサと、
敷地内に配置されて少なくとも動物を排除したいエリアに水を散布し得る水散布器と、
敷地内に設けられた水タンクと、
この水タンク内の水を水配管を介して上記水散布器に供給する水ポンプと、
上記赤外線センサからの検出信号を入力して上記水ポンプを作動させる制御信号を出力する制御器と
を具備したことを特徴とする動物の撃退装置。
【請求項２】
家の敷地内に動物が侵入したことを検出する赤外線センサと、
敷地内に配置されて少なくとも動物を排除したいエリアに水を散布し得る水散布器と、
敷地内に設けられた水道管と上記水散布器とを接続する水配管と、
この水配管の途中に設けられた電磁開閉弁と、
上記赤外線センサからの検出信号を入力して上記電磁開閉弁を開閉させる制御信号を出力する制御器と
を具備したことを特徴とする動物の撃退装置。
【請求項３】
動物を排除したいエリアに配置されるとともに水配管に接続管を介して接続されたゴム風船と、
上記接続管に設けられるとともに赤外線センサからの検出信号に基づき制御器から出力される制御信号により開閉される電磁開閉弁と
を具備したことを特徴とする請求項１または２に記載の動物の撃退装置。
【考案の詳細な説明】
【技術分野】
【０００１】
本考案は、猫などの動物が敷地内に侵入するのを防止するための装置に関するものである。
【背景技術】
【０００２】
一般家庭において、夜間に猫などの動物が敷地内に侵入し、排泄行為を行うことによって、多くの住人が迷惑をこうむっている。猫などの動物の排泄物は強烈なにおいを発し、また蝿などが集まり衛生上好ましくなく、さらには掃除を行う際にも労力を要していた。
【０００３】
このような迷惑な行為を防止するものとして、例えば赤外線センサを敷地内に設けておき、この赤外線センサにより例えば猫を検出した場合、猫が嫌う高周波数帯域の超音波を、スピーカを通じて敷地内に発射させるようにしたもの、または超音波の発射と同時に、発光器から光を発するようにしたもの、さらにブザーから大きい音を発するようにしたものが、提案されている（特許文献１参照）。
【特許文献１】特開２００１−６９９００号公報
【考案の開示】
【考案が解決しようとする課題】
【０００４】
ところで、上述したように、猫が嫌う超音波を発射させるようにした場合、また光、音などを発するようにした場合、最初の間は、確かに、びっくりして、追い払う（撃退する）ことができるが、猫にとっては、直接、からだで感じるものではないため、しばらくすると、慣れてしまい、撃退効果が極端に低下するという問題があった。
【０００５】
そこで、本考案は、猫などの動物を、長期間に亘って追い払うことができる動物の撃退装置を提供することを目的とする。
【課題を解決するための手段】
【０００６】
上記課題を解決するために、本考案の請求項１に係る動物の撃退装置は、
家の敷地内に動物が侵入したことを検出する赤外線センサと、
敷地内に配置されて少なくとも動物を排除したいエリアに水を散布し得る水散布器と、
敷地内に設けられた水タンクと、
この水タンク内の水を水配管を介して上記水散布器に供給する水ポンプと、
上記赤外線センサからの検出信号を入力して上記水ポンプを作動させる制御信号を出力する制御器とを具備したものである。
【０００７】
また、本考案の請求項２に係る動物の撃退装置は、
家の敷地内に動物が侵入したことを検出する赤外線センサと、
敷地内に配置されて少なくとも動物を排除したいエリアに水を散布し得る水散布器と、
敷地内に設けられた水道管と上記水散布器とを接続する水配管と、
この水配管の途中に設けられた電磁開閉弁と、
上記赤外線センサからの検出信号を入力して上記電磁開閉弁を開閉させる制御信号を出力する制御器とを具備したものである。
【０００８】
さらに、本考案の請求項３に係る動物の撃退装置は、請求項１または２に記載の撃退装置において、
動物を排除したいエリアに配置されるとともに水配管に接続管を介して接続されたゴム風船と、
上記接続管に設けられるとともに赤外線センサからの検出信号に基づき制御器から出力される制御信号により開閉される電磁開閉弁とを具備したものである。
【考案の効果】
【０００９】
上記各撃退装置の構成によると、猫が敷地内に侵入した場合、猫の侵入を赤外線センサにより検出するとともに、水散布器により、猫に水を散布させるようにしたので、すなわち猫が直接に嫌なことを感じるようにしたので、さらには、ゴム風船に水を供給して急激に膨らませて猫を驚かすようにしたので、猫を確実に且つ長期間に亘って追い払うことができる。
【考案を実施するための最良の形態】
【００１０】
［実施の形態１］
以下、本考案の実施の形態１に係る動物の撃退装置を、図１および図２に基づき説明する。
【００１１】
本実施の形態１においては、一般住居における敷地（つまり、家の敷地）内に、猫が侵入した際に、撃退（追い払うまたは排除）する装置について説明する。なお、図１は撃退装置の概略構成を示す模式図、図２は制御系統を示すブロック図である。
【００１２】
すなわち、この撃退装置は、図１および図２に示すように、例えば家屋Ｋの外壁の所定位置に取り付けられて、家の敷地内に猫Ｎが侵入したことを検出（検知）する赤外線センサ１と、敷地内に配置されて少なくとも猫Ｎの侵入を阻止したいエリアに水を散布（噴射）し得るスプリンクラー（水散布器の一例で、回転式または固定式のいずれでもよい）２と、例えば家屋Ｋの外壁の近傍に設けられた水タンク３と、この水タンク３内の水を第１ゴムホース（水配管の一例で、塩化ビニール管、水道管などを用いてもよい）４を介して上記スプリンクラー２に所定圧力でもって供給し得る水ポンプ５と、上記赤外線センサ１からの検出信号（検知信号）を入力して水ポンプ５を作動させる制御器６とから構成されている。
【００１３】
上記制御器６には、例えばタイマーが設けられており、水ポンプ５を所定時間（設定時間ともいい、具体的には、５〜３０秒程度）だけ作動させるようにしている。図１においては、制御器６からの制御信号を水ポンプ５側に出力するように示したが、通常は、水ポンプ５の電源（電線）を制御器６に引き込むとともに、制御器６内に設けられた開閉器を介して当該電源のオン・オフが行われる。なお、図１に、赤外線センサ１の検出範囲（検知範囲）Ａ１と、スプリンクラー２の散布範囲Ａ２を示しておく。
【００１４】
また、上記第１ゴムホース４の途中に設けられた二股の分岐具１１を介して第２ゴムホース（接続管の一例で、塩化ビニール管、水道管などを用いてもよい）１２が接続されるとともに、その先端には、接続具１３を介してゴム風船１４の口部が接続され、さらに上記第２ゴムホース１２の途中には、上記制御器６からの制御信号により開閉される電磁開閉弁１５が設けられている。この電磁開閉弁１５は、単に、水の供給管路をオン・オフするためのもので、例えば２ポート２位置切換弁が用いられる。なお、上記ゴム風船１４は、侵入した猫から良く見える場所に設置するのが望ましい。
【００１５】
次に、上記撃退装置の動作について説明する。
例えば、夜間に、猫が敷地内に侵入すると、赤外線センサ１が働き、その検出信号が制御器６に入力される。
【００１６】
この制御器６に検出信号が入力されると、当該制御器６から水ポンプ５を作動させる制御信号が出力されて水ポンプ５が駆動される。
水ポンプ５が作動すると、第１ゴムホース４を介してスプリンクラー２に水が供給されて、敷地内の所定範囲Ａ２に亘ってすなわち猫Ｎに対して水が散布され、したがって水を非常に嫌がる猫Ｎは敷地内から退散することになる。
【００１７】
また、この水の散布と同時（または略同時）に、電磁開閉弁１５が開かれて第２ゴムホース１２を介してゴム風船１４に水が供給されると、当該ゴム風船１４は急激に膨らみ、したがって猫はそれを見て驚きしかも上記水の散布と相俟って、確実に退散することになる。
【００１８】
このゴム風船１４の大きさは、犬程度（例えば、大型犬）またはそれ以上とされ、さらにその形状は、球状、紡錘形状、人間の形状、動物の形状など、適宜、選択することができる。
【００１９】
このように、水の散布とゴム風船の急激な膨らみとが相俟って、猫を確実に敷地内から退散させる、すなわち撃退することができる。
なお、ゴム風船１４に水を供給する電磁開閉弁１５は、やはり、タイマーにより、所定時間（設定時間）だけ開かれるようにされている。つまり、ゴム風船１４の容量に応じて供給する水量を調節し得るようにされている。
【００２０】
猫が退散した後、水ポンプ５が停止すると、制御器６からの制御信号により、再び電磁開閉弁１５が所定時間（これも、ゴム風船の容量に応じて、適当な時間が設定される）でもって開かれて、ゴム風船１４の収縮力により、ゴム風船１４内の水がゴムホース１２，４を介して水タンク３内に戻され（水ポンプ内を逆流することになる）、次の猫の侵入時に使用される。勿論、ゴム風船１４内の水を水タンク３内に戻すために、スプリンクラー２の設置高さは、その位置水頭の方が水が戻る際の配管抵抗よりも高くなるようにされている。なお、位置水頭が配管抵抗よりも低い場合には、ゴム風船１４内の水は、スプリンクラー２から自然に放出されることになる。ゴム風船１４が収縮した後は、電磁開閉弁１５は閉じられる。
【００２１】
上述したように、猫が敷地内に侵入した場合、猫の侵入を赤外線センサにより検出するとともに、スプリンクラーにより、猫に水を散布させるようにしたので、すなわち猫が直接に嫌なことを感じるようにするとともに、ゴム風船に水を供給して急激に膨らませて驚かす（恐怖感を与える）ようにしたので、猫を確実に且つ長期間に亘って追い払うことができる。また、ゴム風船に供給された水は、その収縮時に水タンク内に戻すようにしているので、経済的である。さらに、水タンク内の水を用いるようにしているので、例えば雨水を水タンク内に貯溜するようにしておけば、より経済的である。
［実施の形態２］
以下、本考案の実施の形態２に係る動物の撃退装置を、図３および図４に基づき説明する。
【００２２】
なお、上記実施の形態１においては、水タンク内の水をスプリンクラーおよびゴム風船に供給するようにしたが、本実施の形態２においては、水道の水を供給するようにしたものである。
【００２３】
すなわち、この撃退装置は、家屋Ｋの外壁の所定位置に取り付けられて、家の敷地内に猫Ｎが侵入したことを検出（検知）する赤外線センサ２１と、敷地内に配置されて少なくとも猫Ｎの侵入を阻止したいエリアに水を散布（噴射）し得るスプリンクラー（水散布器の一例で、回転式または固定式のいずれでもよい）２２と、例えば家屋Ｋの外壁の近傍に設けられた水道管２３の端部の水道栓２３ａからの水を上記スプリンクラー２２に供給するための第１ゴムホース（水配管の一例で、塩化ビニール管、水道管などを用いてもよい）２４と、この第１ゴムホース２４の途中に設けられた第１電磁開閉弁２５と、上記赤外線センサ２１からの検出信号（検知信号）を入力して第１電磁開閉弁２５を開閉させるための制御器２６とから構成されている。
【００２４】
上記制御器２６には、例えばタイマーが設けられており、第１電磁開閉弁２５を所定時間（設定時間ともいい、具体的には、５〜３０秒程度）だけ開くようにしている。なお、図３に、赤外線センサ２１の検出範囲（検知範囲）Ａ１と、スプリンクラー２２の散布範囲Ａ２を示しておく。
【００２５】
また、上記第１ゴムホース２４の途中で且つ第１電磁開閉弁２５より下流位置には、二股の分岐具３１を介して第２ゴムホース（接続管の一例で、塩化ビニール管、水道管などを用いてもよい）３２が接続されるとともに、その先端には、接続具３３を介してゴム風船３４の口部が接続され、さらに上記第２ゴムホース３２の途中には、上記制御器２６からの制御信号により開閉される第２電磁開閉弁３５が設けられている。この第２電磁開閉弁３５は、例えば３ポート３位置切換弁が用いられており、具体的には、水道の水をゴム風船３４に供給する供給位置と、水道の水の供給を止めるための停止位置と、ゴム風船３４内の水を外部に放出するための放出位置とが具備されている。
【００２６】
勿論、実施の形態１と同様に、上記ゴム風船３４については、侵入した猫から良く見える場所に設置するのが望ましい。
次に、上記撃退装置の動作について説明する。
【００２７】
例えば、夜間に、猫Ｎが敷地内に侵入すると、赤外線センサ２１が働き、その検出信号が制御器２６に入力される。
この制御器２６に検出信号が入力されると、当該制御器２６から第１電磁開閉弁２５に開信号（制御信号）が出力される。
【００２８】
第１電磁開閉弁２５が開かれると、第１ゴムホース２４を介してスプリンクラー２２に水が供給されて、敷地内の所定範囲に亘ってすなわち猫Ｎに対して水が散布され、したがって水を非常に嫌がる猫Ｎは敷地内から退散することになる。
【００２９】
また、上記第１電磁開閉弁２５が開かれると同時（または略同時）に、第２電磁開閉弁３５も開かれて（供給位置にされて）第２ゴムホース３２を介してゴム風船３４に水が供給されると、ゴム風船３４は急激に膨らむことになり、したがって猫はそれを見て驚きしかも上記水の散布と相俟って、確実に退散することになる。
【００３０】
なお、このゴム風船３４の形状についても、実施の形態１と同様に、犬程度（例えば、大型犬）またはそれ以上とされ、さらにその形状は、球状、紡錘形状、人間の形状、動物の形状など、適宜、選択することができる。
【００３１】
このように、水の散布とゴム風船の急激な膨らみとにより、猫を確実に敷地内から退散させる、すなわち撃退することができる。
なお、ゴム風船３４に水を供給する第２電磁開閉弁３５については、実施の形態１と同様に、やはり、タイマーなどにより、所定時間（設定時間）だけ開かれるようにされている。つまり、ゴム風船３４の容量に応じて供給する水量を調節し得るようにされている。
【００３２】
また、第１電磁開閉弁２５が閉じられると同時に、第２電磁開閉弁３５が放出位置にされて、ゴム風船３４内の水が第２ゴムホース３２を介して当該第２電磁開閉弁３５の戻りポートから外部に放出され、つまり、ゴム風船３４が収縮される。ゴム風船３４が収縮した後は、第２電磁開閉弁３５は停止位置に戻される。なお、この第２電磁開閉弁３５として、実施の形態１で示したような２ポート２位置切換弁を用いて、ゴム風船３４内の水をスプリンクラー２２から自然に放出させるようにしてもよい。
【００３３】
上述したように、実施の形態１と同様に、猫が敷地内に侵入した場合、猫の侵入を赤外線センサにより検出するとともに、スプリンクラーにより、猫に水を散布させるようにしたので、すなわち猫が直接に嫌なことを感じるようにするとともに、ゴム風船に水を供給して急激に膨らませて驚かすようにしたので、猫を確実に且つ長期間に亘って追い払うことができる。
【００３４】
ところで、上記各実施の形態においては、赤外線センサ、スプリンクラーおよびゴム風船を１個ずつ図示したが、勿論、敷地の広さ、猫を追い払うエリアの範囲に応じて、それぞれの設置個数を増やすことができ、またスプリンクラーの設置高さも、最適な値に設定される。
【００３５】
また、上記各実施の形態においては、ゴム風船を膨らませるのに水を用いたが、場合によっては、圧縮空気を用いることもできる。
また、上記各実施の形態においては、スプリンクラーによる水の散布とゴム風船とを併用したが、例えばゴム風船の替わりに、またはゴム風船に加えて、振動発生器（小型のバイブレータ）を設置し地面に微小な振動を発生させることにより、猫を驚かせるようにしてもよい。なお、この振動発生器は、例えば地表に設置するか、または地表近くの地面内に埋設しておけばよい。
【００３６】
さらに、上記各実施の形態においては、撃退する動物として、猫の場合について説明したが、勿論、猫以外の動物、例えば犬、狸などの撃退にも有効である。
【図面の簡単な説明】
【００３７】
【図１】本考案の実施の形態１に係る撃退装置の概略構成を示す模式図である。
【図２】同実施の形態１に係る撃退装置の制御系統を示すブロック図である。
【図３】本考案の実施の形態２に係る撃退装置の概略構成を示す模式図である。
【図４】同実施の形態２に係る撃退装置の制御系統を示すブロック図である。
【符号の説明】
【００３８】
１      赤外線センサ
２      スプリンクラー
３      水タンク
４      第１ゴムホース
５      水ポンプ
６      制御器
１１      分岐具
１２      第２ゴムホース
１３      接続具
１４      ゴム風船
１５      電磁開閉弁
２１      赤外線センサ
２２      スプリンクラー
２３      水道管
２３ａ    水道栓
２４      第１ゴムホース
２５      第１電磁開閉弁
２６      制御器
３１      分岐具
３２      第２ゴムホース
３３      接続具
３４      ゴム風船
３５      第２電磁開閉弁
【図１】
0003123857.tif 000003
【図２】
0003123857.tif 000004
【図３】
0003123857.tif 000005
【図４】
0003123857.tif 000006